(57)【特許請求の範囲】
【請求項１】
筐体の外郭を構成する外郭パネルを備え、
前記外郭パネルは、
前記筐体を構成する構造部材に固定されているパネル端部と、
前記筐体の外観面を構成するパネル外観部と、
前記パネル端部と前記パネル外観部とを接続するパネル構造部と、を有し、
前記パネル端部と前記パネル外観部と前記パネル構造部とは、
一体の材料で形成され、
前記パネル外観部は、
パネル外観面と、
該パネル外観面の外縁から垂直方向に立設するパネル外観端面と、を備え、
前記パネル外観端面の先端部に前記パネル構造部が接続され、
前記パネル構造部は、
前記パネル外観面と平行であり、複数のスリットが設けられ、
前記複数のスリットは、
前記パネル外観端面に沿って配置され、千鳥配列に配置されている、空気調和装置の室内機。
【請求項２】
前記パネル端部は、
前記筐体の内部の風路に露出している、請求項１に記載の空気調和装置の室内機。
【請求項３】
前記パネル構造部は、
前記筐体の外観から前記筐体の内部側に入った位置にある、請求項１又は２に記載の空気調和装置の室内機。
【請求項４】
前記パネル外観部は、
前記筐体の内部側の面に断熱材が取り付けられている、請求項１〜３の何れか１項に記載の空気調和装置の室内機。
【請求項５】
前記パネル端部が固定されている前記構造部材の少なくとも一部は、
熱交換器により熱交換された空気が通過する風路に露出している、請求項１〜４の何れか１項に記載の空気調和装置の室内機。
【発明の詳細な説明】
【技術分野】
【０００１】
本発明は、空気調和装置の室内機に関し、特に外郭を構成する外郭パネルの構造に関する。
【背景技術】
【０００２】
従来の空気調和装置の室内機は、外郭パネルの結露対策として外郭パネルの室内機内側の面に断熱材が貼り付けられている。【０００３】
例えば、特許文献１に開示されている空気調和装置の室内機によれば、室内熱交換器によって１次側空間と２次側空間とに画成されている。そして、室内熱交換器は、１次側空間にのぞむ筐体の天板部に１次側断熱材を設け、筐体の２次側空間に臨む側板部に２次側断熱材が設けられている。このように構成されることにより、室内機は、筐体に結露が生じるのを防止することができる。
【先行技術文献】
【特許文献】
【０００４】
【特許文献１】特開２０１１−８８０３８号公報
【発明の概要】
【発明が解決しようとする課題】
【０００５】
しかし、特許文献１に開示されている空気調和装置の室内機においては、外観を構成する板金と内部を構成する部材とがつながっている箇所については、筐体の外側面の結露防止のため、板金の端面などに断熱材を張り付けなければならないという課題があった。または、結露を防止するために外観の意匠性を犠牲にして外観に断熱材を張り付けなければならないという課題があった。【０００６】
本発明は、上記の課題を解決するためになされたものであり、断熱材の貼付け量を削減でき、かつ外観の意匠性に影響が無く結露を抑制できる空気調和装置の室内機を提供することを目的とする。
【課題を解決するための手段】
【０００７】
本発明に係る空気調和装置の室内機は、筐体の外郭を構成する外郭パネルを備え、前記外郭パネルは、前記筐体を構成する構造部材に固定されているパネル端部と、前記筐体の外観面を構成するパネル外観部と、前記パネル端部と前記パネル外観部とを接続するパネル構造部と、を有し、前記パネル端部と前記パネル外観部と前記パネル構造部とは、一体の材料で形成され、前記パネル外観部は、パネル外観面と、該パネル外観面の外縁から垂直方向に立設するパネル外観端面と、を備え、前記パネル外観端面の先端部に前記パネル構造部が接続され、前記パネル構造部は、前記パネル外観面と平行であり、複数のスリットが設けられ、前記複数のスリットは、前記パネル外観端面に沿って配置され、千鳥配列に配置されている。
【発明の効果】
【０００８】
本発明に係る空気調和装置の室内機は、上記構成のようにパネル端部から外観面に至る伝熱経路にスリットを設けてあり、内部の冷熱が外観面に伝わるのを抑制することができる。これにより、筐体内部の冷気に触れるパネル端部に断熱材を貼り付ける、又は外観面に断熱材を貼り付ける等の手段によらず、外観面の結露を押えることができる。従って、空気調和装置の室内機の意匠を損なうことなく、外観面の結露を抑制することができる。
【図面の簡単な説明】
【０００９】
【図１】本発明の実施の形態１における空気調和装置の室内機の斜視図である。
【図２】図１の空気調和装置の室内機の前面パネルを外した状態の図である。
【図３】図１の空気調和装置の室内機の左側面パネルの斜視図である。
【図４】図３のＡ部の拡大図である。
【図５】図１の空気調和装置の室内機の水平方向断面のうち左側面パネルと前面パネルとの合わせ部の拡大図である。
【図６】本発明の実施の形態２に係る空気調和装置の室内機の左側面パネルのパネル構造部の拡大斜視図である。
【図７】図６のパネル構造部に設けられたスリットの配置を説明する模式図である。
【発明を実施するための形態】
【００１０】
以下、図面に基づいて本発明の実施の形態について説明する。各図において、同一の符号を付した機器等については、同一の又はこれに相当する機器等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１１】
実施の形態１.
＜室内機１００の構成＞
図１は、本発明の実施の形態１における空気調和装置の室内機１００の斜視図である。図２は、図１の空気調和装置の室内機１００の前面パネル４０を外した状態の図である。図１に示されているように、室内機１００は、略直方体形状の筐体５０を備えている。筐体５０は、室内機１００の正面側に前面パネル４０を備える。筐体５０の前面パネル４０に対向する面には、背面パネル３０を備える。前面パネル４０には、筐体５０内に空気を取り込む吸入口１が設けられており、吸入口１から送風機３に至る風路の途中に熱交換器２が設置されている。送風機３は、筐体５０の内部の上部に設置されている。送風機３の上方にある筐体５０の天面には吹出口４が設けられている。送風機３は、吸入口１から空気を取り込み、熱交換器２を通過させ、吹出口４から吹き出させるように構成されている。
【００１２】
筐体５０の底部には台枠５が配置され、台枠５から柱６が垂直上方に向かって立設されている。台枠５の四隅に立設された柱６により、左側面パネル１０、右側面パネル２０、天面パネル９、背面パネル３０、前面パネル４０、及び内蔵部品が支持されている。また、台枠５にはドレンパンが配置されている。なお、以下の説明において、筐体５０の前面パネル４０に向かって左側にある側面パネルを左側面パネル１０、右側にある側面パネルを右側面パネル２０と呼ぶ。柱６は、筐体５０の構造部材として左側面パネル１０、右側面パネル２０、背面パネル３０、前面パネル４０、天面、送風機３、熱交換器２等を支持するものである。
【００１３】
図３は、図１の空気調和装置の室内機１００の右側面パネル２０の斜視図である。図４は、図３のＡ部の拡大図である。図３は、右側面パネル２０を裏側、つまり筐体５０の内部側から見た状態の斜視図である。右側面パネル２０は、柱６に取り付けられ、筐体５０の左側側面の外観を構成する。右側面パネル２０は、例えば板金を折り曲げて形成されている。右側面パネル２０の筐体５０の外側を向いた面がパネル外観面２１である。右側面パネル２０は、パネル外観面２１の外縁から筐体５０の内部側に折り曲げられており、パネル外観端面２２が形成されている。右側面パネル２０は、パネル外観面２１とパネル外観端面２２とにより箱形に形成されている。パネル外観面２１とパネル外観端面２２とは、空気調和装置の室内機１００の外観を構成しており、外部から視認できる。パネル外観面２１とパネル外観端面２２とを合わせてパネル外観部２９と呼ぶ。ただし、パネル外観端面２２は、背面パネル３０又は前面パネル４０により覆われる場合もある。
【００１４】
パネル外観端面２２の筐体５０内部側の端部からパネル外観面２１と平行な方向に延びるパネル構造部２３が設けられている。つまり、パネル構造部２３は、右側面パネル２０において、パネル外観面２１の裏側に位置する。さらに、パネル構造部２３のパネル外観端面２２側と反対側の端部からは、筐体５０の内部方向に向かって延びるパネル端部２４が設けられている。右側面パネル２０は、パネル外観面２１、パネル外観端面２２、パネル構造部２３、及びパネル端部２４が一体となって形成されている。パネル外観面２１、パネル外観端面２２、パネル構造部２３、及びパネル端部２４は、例えば１枚の板金を折り曲げて形成されている。また、図４に示されるように、パネル構造部２３には、スリット２７が設けられている。スリット２７は、パネル構造部２３の全域にわたって設けられている。スリット２７は、右側面パネル２０に必要な強度に応じて設けられている領域を調整することができる。実施の形態１においては、スリット２７は、パネル構造部２３の長手方向に沿って１列に複数並べられている。
【００１５】
図５は、図１の空気調和装置の室内機１００の水平方向断面のうち右側面パネル２０と前面パネル４０との合わせ部の拡大図である。右側面パネル２０のパネル端部２４は、ネジ穴２５が設けられている。パネル端部２４は、ネジ穴２５にネジが通され、ネジにより柱６に締結される。つまり、パネル端部２４は、柱６の面に接触し固定されている。柱６の筐体５０の内部側を向いた面には、断熱材８１が取り付けられている。断熱材８１は、筐体５０の内部の冷却された空気により柱６が冷却されるのを抑制している。
【００１６】
パネル端部２４の先端２６及び柱６の端部は、筐体５０の内部の空間、つまり熱交換器２により熱交換された空気が通過する風路に露出している。よって、パネル端部２４の先端２６及び柱６の端部は、筐体５０の内部で熱交換器２により熱交換され冷却された空気に触れている。冷却された空気がパネル端部２４の先端２６及び柱６の端部６ａ、６ｂに触れていると、パネル端部２４及び柱６は徐々に冷却され、冷却された部分が次第に拡がりパネル構造部２３も冷却される。図５に示されるように、冷却された部分は、矢印９０に沿って広がる。パネル外観面２１の裏側面には、断熱材８０が取り付けられており、パネル外観面２１及びパネル外観端面２２は、筐体５０の内部の冷却された空気に冷却されないようにされているが、上記の様にパネル端部２４及び柱６からの伝熱によりパネル外観部２９は冷却されてしまう場合がある。冷却された部分がパネル外観端面２２まで広がると、冷却されたパネル外観端面２２は、筐体内部よりも温度の高い外気に触れ、パネル外観端面２２に結露が生じてしまう。
【００１７】
しかし、実施の形態１に係る右側面パネル２０は、パネル端部２４からパネル外観端面２２及びパネル外観面２１に至る途中のパネル構造部２３にスリット２７が設けられている。スリット２７により、パネル構造部２３は、熱が伝わる断面積が少なくなっており、スリット２７から外観側にあるパネル外観端面２２及びパネル外観面２１に冷却された部分が広がるのを抑制することができる。隣合ったスリット２７の間の距離は、適宜設定することができるが、この距離が小さい方が伝熱経路の断面積が小さくなり、有利であるため、パネル構造部２３に必要な強度を確保しつつなるべく小さく設定すると良い。このように構成されることにより、パネル外観端面２２及びパネル外観面２１は、温度の低下が抑制されるため、結露の発生を抑えることができる。また、パネル端部２４からスリット２７に至る部分は、冷却されやすいが、空気調和装置の室内機１００において外観から視認されない部分であり、外気が循環して接触する部位では無いため、結露が発生しても問題はない。
【００１８】
なお、実施の形態１において、左側面パネル１０も右側面パネル２０と同様な構造で構成されている。また、実施の形態１においては、右側面パネル２０のパネル構造部２３にスリット２７を設け、パネル外観端面２２及びパネル外観面２１の結露の発生を抑制しているが、その他の背面パネル３０や前面パネル４０などの空気調和装置の室内機１００の外観を構成する各部に適用しても良い。実施の形態１における左側面パネル１０、右側面パネル２０、背面パネル３０、及び前面パネル４０、は、本願発明の「外郭パネル」に相当する。パネル外観面２１及びパネル外観端面２２を合わせたパネル外観部２９は、本願発明の「パネル外観部」に相当するものである。
【００１９】
＜実施の形態１の効果＞
（１）実施の形態１に係る空気調和装置の室内機１００は、筐体の外郭を構成する右側面パネル２０を備え、右側面パネル２０は、筐体５０の内部の冷却された空気に接触するパネル端部２４と、筐体５０の外観面を構成するパネル外観部２９と、パネル端部２４とパネル外観部２９とを接続するパネル構造部２３と、を有し、パネル端部２４とパネル外観部２９とは、一体に形成され、パネル構造部２３は、スリット２７が設けられている。なお、右側面パネル２０は、本願発明の「外郭パネル」に相当するものである。
このように構成されることにより、空気調和装置の室内機１００は、筐体５０の内部にあるパネル端部２４からパネル外観部２９に至る経路にスリット２７が設けられることにより、パネル外観部２９から筐体５０の内部の空気に接触しているパネル端部２４までの伝熱経路の断面積が小さくなっている。よって、パネル外観部２９の温度低下を抑制することができるため、パネル外観部２９に発生する結露を抑制することができる。
【００２０】
（２）実施の形態１に係る空気調和装置の室内機１００においては、パネル端部２４とパネル外観部２９とは、一体に形成されている。
このように構成されることにより、空気調和装置の室内機１００は上記（１）に記載された効果を得ることができ、かつ空気調和装置の室内機１００の外観を構成する左側面パネル１０、右側面パネル２０、背面パネル３０、及び前面パネル４０等の外郭パネルを板金等を折り曲げて形成することができるため、強度を向上しつつ部品点数を抑え製造コストを低減できる。
【００２１】
（３）実施の形態１に係る空気調和装置の室内機１００においては、パネル端部２４は、
筐体５０を構成する構造部材に固定されている。なお、構造部材は、実施の形態１に係る柱６に相当するものである。
このように構成されることにより、空気調和装置の室内機１００は上記（１）に記載された効果を得ることができ、かつ右側面パネル２０が構造部材と組み合わさり、筐体５０の強度を向上させることができる。また、筐体５０の内部の雰囲気に晒されている構造部材に取り付けられている断熱材８１を最小限に抑えることができるため、製造コストを抑えることができる。
【００２２】
（４）実施の形態１に係る空気調和装置の室内機１００においては、パネル構造部２３は、筐体５０の外観から筐体５０の内部に入った位置にある。
このように構成されることにより、空気調和装置の室内機１００は上記（１）に記載された効果を得ることができ、かつスリット２７が筐体５０の外観に露出しないため、外観を損ねることがない。
【００２３】
（５）実施の形態１に係る空気調和装置の室内機１００においては、パネル外観部２９は、筐体５０の内部側の面に断熱材８０が取り付けられている。
このように構成されることにより、空気調和装置の室内機１００は、パネル外観部２９への伝熱経路がパネル端部２４からパネル構造部２３を通る経路に限定されるため、上記（１）に記載された効果をより向上させることができる。
【００２４】
（６）実施の形態１に係る空気調和装置の室内機１００においては、パネル外観部２９は、パネル外観面２１と、該パネル外観面２１の外縁から垂直方向に立設するパネル外観端面２２と、を備え、パネル外観端面２２の先端部にパネル構造部２３が接続され、パネル構造部２３は、パネル外観面２１と平行である。
このように構成されることにより、右側面パネル２０は、スリット２７が設けられているパネル構造部２３をパネル外観面２１の裏側に配置することができるため、空気調和装置の室内機１００は、外観を損ねることなく、かつ上記（１）に記載された効果を得ることができる。
【００２５】
（７）実施の形態１に係る空気調和装置の室内機１００においては、パネル構造部２３は、複数のスリット２７を備える。
このように構成されることにより、空気調和装置の室内機１００は、パネル外観部２９への伝熱経路であるパネル構造部２３の断面積を低減させ、上記（１）に記載された効果を得つつ、パネル構造部２３の強度を確保できる。
【００２６】
実施の形態２．
実施の形態２に係る空気調和装置の室内機２００は、実施の形態１に係る空気調和装置の室内機１００に対し、パネル構造部２３に設けられたスリット２７の配置を変更したものである。以下、実施の形態２について、実施の形態１からの変更点を中心に説明する。実施の形態２で特に記述しない項目については実施の形態１と同様とし、同一の機能や構成については同一の符号を用いて述べることとする。
【００２７】
図６は、本発明の実施の形態２に係る空気調和装置の室内機２００の右側面パネル２０のパネル構造部２３の拡大斜視図である。実施の形態２においても、右側面パネル２０のパネル構造部２３には、スリット２７が設けられている。実施の形態１においては、スリット２７は、２列に並べられていたが、実施の形態２においては、スリット２７は、２列に並べられており、さらに千鳥配列になっている。
【００２８】
図７は、図６のパネル構造部２３に設けられたスリット２７の配置を説明する模式図である。図７において、スリット２７は千鳥配列になっている。そのため、パネル構造部２３のパネル端部２４側の端部上のＣ点からパネル構造部２３のパネル外観端面２２側の端部上のＢ点までの伝熱経路の長さは、パネル構造部２３の幅をａ、スリット２７の長さをｃとした場合、ａ＋ｂとなる。一方、パネル構造部２３にスリット２７が設けられていない場合は、Ｃ点からＢ点までの伝熱経路の長さはａとなる。すなわち、実施の形態２のようにパネル構造部２３にスリット２７を設けた場合は、スリット２７を設けない場合と比較して、伝熱経路の長さが長くなる。パネル端部２４からパネル外観端面２２までの伝熱経路の長さが平均的に長くなることにより熱伝導の距離減衰効果が得られ、パネル外観端面２２及びパネル外観面２１まで冷却されにくくなる。よって、パネル外観端面２２及びパネル外観面２１は、外気の露点以下まで温度が下がるのを抑制することができる。
【００２９】
＜実施の形態２の効果＞
（８）実施の形態２に係る空気調和装置の室内機２００においては、複数の前記スリットは、千鳥配列に配置されている。
このように構成されることにより、パネル端部２４からパネル外観部２９に至る伝熱経路の断面積を小さくしつつ、伝熱経路の長さが長くなり、熱伝導の距離減衰効果によりパネル外観部２９が冷却されにくくなる。上記（１）に記載された効果をより向上させることができる。なお、実施の形態２において、スリット２７は、２列に並べられ千鳥配列になっているが、この形態だけに限定されるものではなく、３列以上設けられていても良い。
【符号の説明】
【００３０】
１  吸入口、２  熱交換器、３  送風機、４  吹出口、５  台枠、６  柱、６ａ  端部、６ｂ  端部、９  天面パネル、１０  右側面パネル、２０  左側面パネル、２１  パネル外観面、２２  パネル外観端面、２３  パネル構造部、２４  パネル端部、２５  ネジ穴、２６  先端、２７  スリット、２９  パネル外観部、３０  背面パネル、４０  前面パネル、５０  筐体、８０  断熱材、８１  断熱材、９０  矢印、１００  室内機、２００  室内機。
【図１】
0006793818.tif 000002
【図２】
0006793818.tif 000003
【図３】
0006793818.tif 000004
【図４】
0006793818.tif 000005
【図５】
0006793818.tif 000006
【図６】
0006793818.tif 000007
【図７】
0006793818.tif 000008